(57)【要約】【課題】室内装飾の一部として美観を高めつつ、園芸容器に植え込んだ植物への給水を余分な部品に依存することなく行い得るとともに当該給水の適正な量を外部から視認し得るように構成した園芸容器用カバー及びプランター用カバーを提供する。【解決手段】プランター用カバー２００は、プランター１００を収容するために用いられるもので、当該プランター用カバー２００は、透明のアクリル樹脂材料製窓部材２３０を有している。この窓部材２３０は、カバー本体２１０の左側壁２１３の細幅長手状貫通孔部２１３ａ内に液密的に嵌着されて、環状凹所２４０内に露呈している。【選択図】図１
2007289113.tif 000002
【特許請求の範囲】
【請求項１】
園芸容器を収容するための凹状の装飾性カバー本体と、
このカバー本体の周壁の底部に形成された貫通孔部に液密的に嵌着してなる透明の窓部材とを備える園芸容器用カバー。
【請求項２】
前記カバー本体の底壁に設けられて当該カバー本体を前記底壁側から支持する脚を備え、
前記カバー本体は、前記貫通孔部にて、横方向には細幅状であって高さ方向には長手状である細幅長手状に形成されており、
前記窓部材は、前記細幅長手状貫通孔部の中空形状に対応する外形形状を有するように透明の強化プラスチック材料でもって形成されて前記細幅長手状貫通孔部に液密的に嵌着されており、
前記カバー本体及び前記脚を陶器として構成してなることを特徴とする請求項１に記載の園芸容器用カバー。
【請求項３】
園芸容器の１種であるプランターを収容するための凹状カバー本体と、
このカバー本体の底壁に設けられて当該カバー本体を前記底壁側から支持する脚とを備えるプランター用カバーであって、
前記カバー本体の周壁の底部に横方向には細幅状に高さ方向には長手状に形成された細幅長手状貫通孔部に液密的に嵌着してなる透明強化プラスチック製窓部材を備え、
前記カバー本体及び前記脚を陶器として構成してなるプランター用カバー。
【発明の詳細な説明】
【技術分野】
【０００１】
本発明は、園芸容器を収容するに適した園芸容器用カバー及びプランターを収容するに適したプランター用カバーに関する。
【背景技術】
【０００２】
近年、例えば、各家庭においては、主婦が、自分の住居の屋外の美観を高めるために、玄関先、庭やベランダ等を植物で彩る工夫をしていることが多い。このような工夫の例としては、植物が植え込まれたプランターを、玄関先、庭やベランダ等に配置することが挙げられる。
【０００３】
然るに、プランターは、本来、室内装飾の目的で製造されるものではなく、上述のように屋外で用いられるものである。従って、プランターは、室内の美観を高めるような装飾性を備えているわけではない。また、プランターが屋外に配置されていると、当該プランターの外表面は、風雨に晒されて泥水等で汚れたり、太陽光線を浴びて褪色することが多い。従って、このようなプランターを住居の室内に持ち込んでも、当然のことながら、室内装飾としては役に立たず、室内の美観を損ねるだけである。
【０００４】
以上のことから、住居の室内の美観を高める目的でプランターを採用しようとしても、プランターそれ自体だけでは、不十分である。
【０００５】
これに対しては、下記特許文献１に記載のプランターカバーが提案されている。このプランターカバーは、２枚の化粧パネル及び２枚の側面パネルを飾りボルト及び蝶ナットでもって締着して矩形枠状に構成されている。ここで、化粧パネル及び側面パネルの外面には装飾模様が施されている。
【０００６】
しかして、このように構成したプランターカバーは、次のようにして用いられる。まず、受け皿を室内の配置場所に置き、ついで、上述のように構成したプランターカバーを、上方から受け皿に被せるようにして上記配置場所に置く。然る後、植物が植え込まれたプランターをプランターカバー内に収容するようにして受け皿上に載置する。
【０００７】
これにより、上記プランターの周壁は、プランターカバーにより覆われて外部からは見えず、プランターカバーを構成する化粧パネル及び側面パネルが外部から見えることとなる。その結果、プランターカバーが、その化粧パネル及び側面パネルの装飾模様でもって、プランターの代わりに、室内の美観を高める役割を果たす。
【特許文献１】特開２００４−２６７３２４号公報
【発明の開示】
【発明が解決しようとする課題】
【０００８】
ところで、上述のプランターカバーによる場合、室内の美観を高めることはできても、当該プランターカバーの構成からして、このプランターに植え込んだ植物に水を与えるにあたっては、散水がプランター内になされる。この場合、散水の適正な量は、プランターカバーを外方からみていても分からない。
【０００９】
従って、例えば、散水の量が不足すると、植物が水不足で枯れてしまうという不具合が生ずる。また、散水の量が多すぎると、植物が根腐れするという不具合が生ずるだけでなく、水が、プランターの下部に設けた水抜き孔部から流出して受け皿内に溜まり、場合によっては、受け皿から溢れ出て室内を汚すおそれがある。
【００１０】
また、上述のような構成のプランターカバーは、化粧パネル及び側面パネルでもって周壁を構成するだけで、底壁を備えていない。このため、上述のようにプランターの受け皿が、別部材として、必須になるという不具合もある。
【００１１】
そこで、本発明は、以上のようなことに対処するため、室内装飾の一部として美観を高めつつ、園芸容器に植え込んだ植物への給水を余分な部品に依存することなく行い得るとともに当該給水の適正な量を外部から視認し得るように構成した園芸容器用カバー及びプランター用カバーを提供することを目的とする。
【課題を解決するための手段】
【００１２】
上記課題の解決にあたり、本発明に係る園芸容器用カバーは、請求項１の記載によれば、
園芸容器（１００、４００）を収容するための凹状の装飾性カバー本体（２１０、５１０）と、
このカバー本体の周壁（２１０ａ、５１０ａ）の底部に形成された貫通孔部（２１３ａ、５１１）に液密的に嵌着してなる透明の窓部材（２３０、５３０）とを備える。
【００１３】
これによれば、透明の窓部材が、上述したごとく、カバー本体の周壁の底部に形成された貫通孔部に液密的に嵌着されている。従って、例えば、植物が植え込まれた園芸容器をカバーのカバー本体に収容して室内に配置した状態で、植物に水を与えるにあたり、水を園芸容器内に供給すれば、この水は、園芸容器の水抜き孔部からカバー本体内に流れ出て溜まっていくが、この溜まる水の量（水やりの目安）は、上述の透明の窓部材を通して容易に視認できる。
【００１４】
その結果、例えば、窓部材を通して水を視認できたとき適正な給水量に達しているということであれば、上述の給水を行う者は、窓部材を通して視認するだけで、植物の根腐れを生じないように適正に給水し得る。
【００１５】
また、園芸容器が室内装飾に適した外観を有していないのが通常であるが、カバー本体が装飾性を有するので、上述のごとく園芸容器をカバー本体に収容して室内に配置することで、室内の美観を高めることができる。
【００１６】
また、カバー本体は上述のごとく凹状であるから、当該カバー本体は、周壁と底壁でもって一体的に構成されている。従って、カバー本体の底壁に対応する受け皿のような部品を別途必要とすることがないのは勿論のこと、園芸容器内から流れ出る水は、カバー本体内に留まるのみで、外部に漏れ出して室内を汚すこともない。
【００１７】
以上より、本発明によれば、室内装飾の一部として美観を高めつつ、園芸容器に植え込んだ植物への給水を余分な部品に依存することなく行い得るとともに当該給水の適正な量を外部から視認し得るように構成した園芸容器用カバーの提供が可能となる。
【００１８】
また、本発明は、請求項２の記載によれば、請求項１に記載の園芸容器用カバーにおいて、
カバー本体の底壁に設けられて当該カバー本体を上記底壁側から支持する脚（２２０、５２０）を備え、
カバー本体は、上記貫通孔部にて、横方向には細幅状であって高さ方向には長手状である細幅長手状に形成されており、
窓部材は、上記細幅長手状貫通孔部の中空形状に対応する外形形状を有するように透明の強化プラスチック材料でもって形成されて上記細幅長手状貫通孔部に液密的に嵌着されており、
カバー本体及び脚を陶器として構成してなることを特徴とする。
【００１９】
これによれば、窓部材は、カバー本体の細幅長手状貫通孔部の中空形状に対応する外形形状を有するから、園芸容器の水抜き孔部からカバー本体内に流れ出る水の水位の変化が当該水の給水量に応じて容易に視認できる。その結果、適正な給水量（水やりの目安）が窓部材を通してより一層適正に視認され得る。
【００２０】
また、窓部材が強化プラスチック材料でもって形成されているので、破損による怪我の心配がない。さらに、カバーがカバー本体及び脚を陶器として構成してなるものであるから、カバーが、陶器としての外観のもと、良好な美観を呈し、室内の美観をより一層高め得る。
【００２１】
また、本発明に係るプランター用カバーは、請求項３の記載によれば、
園芸容器の１種であるプランター（１００）を収容するための凹状カバー本体（２１０）と、
このカバー本体の底壁に設けられて当該カバー本体を上記底壁側から支持する脚（２２０）とを備えるプランター用カバーであって、
カバー本体の周壁（２１０ａ）の底部に横方向には細幅状に高さ方向には長手状に形成された細幅長手状貫通孔部（２１３ａ）に液密的に嵌着してなる透明強化プラスチック製窓部材（２３０）を備え、
カバー本体及び脚を陶器として構成してなるものである。
【００２２】
これによれば、透明強化プラスチック製窓部材が、上述したごとく、カバー本体の周壁の底部に形成された細幅長手状貫通孔部に液密的に嵌着されている。従って、例えば、植物が植え込まれたプランターをカバーのカバー本体に収容して室内に配置した状態で、植物に水を与えるにあたり、水をプランター内に供給すれば、この水は、プランターの水抜き孔部からカバー本体内に流れ出て溜まっていくが、この溜まる水の量（水やりの目安）は、上述の、透明強化プラスチック製窓部材を通して容易に視認できる。
【００２３】
ここで、窓部材がカバー本体の細幅長手状貫通孔部の中空形状に対応する外形形状即ち細幅長手形状となっている。従って、プランターの水抜き孔部からカバー本体内に流れ出る水の水位の変化が、窓部材を通し当該水の給水量に応じて容易に視認できる。その結果、適正な給水量（水やりの目安）が窓部材を通してより一層適正に視認され得る。
【００２４】
その結果、例えば、窓部材を通して水の水位を視認することで適正な水やりの目安を判断できれば、上述の給水を行う者は、植物の根腐れを生じないように、適正に給水し得る。
【００２５】
また、窓部材が強化プラスチック製であるから、破損による怪我の心配がない。
【００２６】
さらに、カバーがカバー本体及び脚を陶器として構成してなるものであるから、カバーが、陶器としての外観のもと、良好な装飾性を呈する。従って、プランターの外面が風雨で汚れたり褪色していても、これとはかかわりなく、カバーがその装飾性でもって、室内の美観を高め得る。
【００２７】
なお、上記各手段の括弧内の符号は、後述する実施形態に記載の具体的手段との対応関係を示すものである。
【発明を実施するための最良の形態】
【００２８】
以下、本発明の各実施形態を図面により説明する。
（第１実施形態）
図１は、本発明に係るプランター用カバー２００がプランター１００に適用された例を本発明の第１実施形態として示している。
【００２９】
プランター１００は、図１〜図３にて示すごとく、長手状かつ箱状のプランター本体１１０をその底壁１１１（図２及び図３参照）側から４つの脚１２０でもって支持するようにして不透明のプラスチック材料でもって構成されている。プランター本体１１０の長手四角状周壁１１２のうちの左側壁１１２ａの底端側中央部には、水抜き孔部１１２ｂが、図３にて示すごとく、横方向に向け細幅状に形成されている。なお、各脚１２０は、プランター本体１１０の底壁１１１の四隅に設けられている。また、本第１実施形態において、プランター本体１１０の幅、長さ及び高さは、例えば、２０（ｃｍ）、５０（ｃｍ）及び２５（ｃｍ）である。
【００３０】
プランター用カバー２００は、図１にて示すごとく、プランター１００を収容するために用いられるもので、このカバー２００は、カバー本体２１０をその底側から４つの脚２２０で支持するように構成されている。本第１実施形態では、カバー２００は、カバー本体２１０及び各脚２２０でもって陶器として構成されている。
【００３１】
カバー本体２１０は、周壁２１０ａと、底壁２１０ｂとを有している。周壁２１０ａは、前後両側壁２１１、２１２及び左右両側壁２１３、２１４でもって長手状かつ四角環状に形成されている。底壁２１０ｂは、周壁２１０ａの底端側開口部を当該底壁２１０ｂでもって閉塞することで、カバー本体２１０を長手状かつ箱状に構成しており、カバー本体２１０の底壁２１０ｂの内面からの高さは、図１から分かるように、プランター１００の脚１２０の先端からの高さにほぼ等しい。
【００３２】
また、プランター１００をカバー本体２１０内に収容したときにプランター本体１１０の外周面とカバー本体２１０の内周面との間に形成される環状凹所２４０が、その底部側にて、プランター本体１１０の外周面とカバー本体２１０の内周面との間に所定の間隔（例えば、２（ｃｍ）程）を環状形成するように、カバー本体２１０の周壁２１０ａの形状寸法がプランター本体１１０の周壁１１２に対し選定されている（図１参照）。
【００３３】
また、周壁２１０ａの上端側開口部は、図１及び図４〜図６にて示すごとく、カバー本体２１０の開口部に対する装飾機能を果たすように、上方に向けて末広がり状に湾曲して形成されている。また、周壁２１０ａの外面には、装飾模様が施されており、この装飾模様は、上述した周壁２１０ａの上端側開口部の湾曲形状と相まって、カバー２００の全体としての装飾機能を果たす。
【００３４】
また、カバー２００は、透明のアクリル樹脂材料製窓部材２３０を有しており、この窓部材２３０は、カバー本体２１０の左側壁２１３の細幅長手状貫通孔部２１３ａ内に液密的に嵌着されて、環状凹所２４０内に露呈している。ここで、細幅長手状貫通孔部２１３ａは、左側壁２１３にその底端中央部から横方向には細幅状に高さ方向には長手状に形成されており、この貫通孔部２１３ａの幅及び高さは、例えば、１（ｃｍ）及び６（ｃｍ）である。
【００３５】
４つの脚２２０は、カバー本体２１０の底壁２１０ｂの四隅に設けられており、これら各脚２２０は、カバー本体２１０を底壁２１０ｂ側から支持する。
【００３６】
以上のように構成した本第１実施形態において、例えば、主婦が、購入した植物を住居の室内に配置するにあたり、まず、用土Ｓをプランター１００のプランター本体１１０内に入れる。ついで、購入した植物を、プランター本体１１０内の用土Ｓに植え込む（図１参照）。
【００３７】
然る後、このように植物を植え込んだプランター１００を、その各脚１２０からカバー本体２１０内に挿入する。このとき、プランター本体１１０の外周面とカバー本体２１０の内周面との間に上記所定の間隔を環状に形成するように、プランター１００をカバー本体２１０内に挿入する。
【００３８】
これにより、プランター１００は、各脚１２０にて、カバー本体２１０の底壁２１０ｂ上に着座して、環状凹所２４０に上記所定の間隔を形成するように、カバー本体２１０内に収容される。また、上述のように環状凹所２４０に上記所定の間隔を形成することで、プランター１００をカバー本体２１０から取り出すには便利となる。
【００３９】
上述のようにプランター１００をカバー本体２１０内に収容した後、プランター本体１１０内に散水する。このように散水された水は、用土Ｓ内にしみ込んでいくとともに植物にも供給される。
【００４０】
ここで、用土Ｓ内にしみ込んだ水は、プランター本体１１０の水抜き孔部１１２ｂからカバー本体２１０内に流れ出て環状凹所２４０内に溜まっていく。
【００４１】
このとき、窓部材２３０が透明であるため、環状凹所２４０内に溜まっていく水の水位は、窓部材２３０を通して良好に視認され得る。このため、窓部材２３０に植物の根腐れを未然に防止し得る程度の水位に対する目盛りを設けておけば、散水の量が、その水位の窓部材２３０の上記目盛りに対する位置でもって、適正に決められ得る。従って、植物の根腐れを未然に防止し得る程度の適正な散水量が、画一的にかつ容易に決定され得る。その結果、上述の散水を行う者は、植物が根腐れを生じないように、容易に散水できて便利である。
【００４２】
また、プランター１００はなんら装飾機能を発揮しなくとも、カバー２００は、上述のごとく、装飾機能を発揮しているため、上述のようにプランター１００をカバー２００に収容して住居の室内に配置することで、室内の美観を高めることができる。
【００４３】
また、上述とは異なり、植物を植え込んだプランター１００を住居の玄関先、庭或いはベランダ等に配設したままにすると、プランター１００は、風雨に晒されて汚れたり、褪色したりする。その後、植物が生長したときに、当該プランター１００を上述のようにカバー２００内に収容して、室内に配置しても、プランター１００がカバー本体２１０内に収容されているので、カバー２００の外観でもって、上述の美観が維持される。従って、プランター１００が上述のように汚れたり褪色していても、室内の美観を損ねることはない。
【００４４】
また、窓部材２３０には、上述のごとく、透明のアクリル樹脂材料でもって形成されている。従って、窓部材２３０が破損することがないので、この窓部材２３０により怪我をするようなことはない
また、カバー本体２１０は、上述のごとく箱状であって、周壁２１０ａと底壁２１０ｂでもって一体的に構成されている。従って、底壁２１０ｂに対応する受け皿のような部品を別途必要とすることがないのは勿論のこと、プランター本体１１０の水抜き孔部１１２ｂから流れ出る水は、カバー本体２１０内に留まるのみで、外部に漏れ出して室内を汚すこともない。
（第２実施形態）
図７は、本発明に係る植木鉢用カバー５００が植木鉢４００に適用された例を本発明の第２実施形態として示している。
【００４５】
植木鉢４００は、植木鉢本体４１０をその底壁４１１側から４つの脚４２０でもって支持するようにしてプラスチック材料でもって構成されている。底壁４１１の中央部には、水抜き孔部４１１ａが、図７からわかるように、円形状に形成されている。また、本第２実施形態において、植木鉢本体４１０の外径及び高さは、例えば、２０（ｃｍ）及び２５（ｃｍ）である。
【００４６】
植木鉢用カバー５００は、図７にて示すごとく、植木鉢４００を収容するために用いられるもので、このカバー５００は、カバー本体５１０をその底側から４つの脚５２０で支持ようにして、陶器として構成されている。
【００４７】
カバー本体５１０は、略円筒状の周壁５１０ａと、この周壁５１０ａの底端側開口部を閉塞する底壁５１０ｂでもって構成されている。カバー本体５１０の底壁５１０ｂの内面からの高さは、図７から分かるように、植木鉢４００の脚４２０の先端からの高さにほぼ等しい。
【００４８】
また、植木鉢４００をカバー本体５１０内に収容したときに植木鉢本体４１０の外周面とカバー本体５１０の内周面との間に形成される環状凹所５４０が、その底部側にて、植木鉢本体４１０の外周面とカバー本体５１０の内周面との間に、所定の間隔（例えば、２（ｃｍ）程）を環状に形成されるように、カバー本体５１０の周壁５１０ａの形状寸法が植木鉢本体４１０の周壁に対し設定されている。
【００４９】
また、周壁５１０ａの上端側開口部は、図７にて示すごとく、カバー本体５１０の開口部に対する装飾機能を果たすように、上方に向けて末広がり状に湾曲して形成されている。また、周壁５１０ａの外面には、装飾模様が施されており、この装飾模様は、上述した周壁５１０ａの上端側開口部の湾曲形状と相まって、カバー５００の全体としての装飾機能を果たす。
【００５０】
また、カバー５００は、透明のアクリル樹脂材料製窓部材５３０を有しており、この窓部材５３０は、カバー本体５１０の周壁５１０ａの細幅長手状貫通孔部５１１内に液密的に嵌着されて、環状凹所５４０内に露呈している。ここで、細幅長手状貫通孔部５１１は、周壁５１０ａにその底端から横方向には細幅状に高さ方向には長手状に形成されており、この貫通孔部５１１の幅及び高さは、例えば、１（ｃｍ）及び６（ｃｍ）である。
【００５１】
以上のように構成した本第２実施形態において、上記第１実施形態と同様に、用土Ｓ１に植物を植え込んだ植木鉢４００をカバー本体５１０内に挿入する。このとき、植木鉢４００は、環状凹所５４０に上記所定の間隔を形成するように、カバー本体５１０内に収容される。
【００５２】
然る後、植木鉢本体４１０内に散水すると、このように散水された水は、用土Ｓ１内にしみ込んだ後、当該植木鉢本体４１０の水抜き孔部４１１ａからカバー本体５１０内に流れ出て環状凹所５４０内に溜まっていく。
【００５３】
このとき、窓部材５３０が透明であるため、環状凹所５４０内に溜まっていく水の水位は、窓部材５３０を通して良好に視認され得る。その結果、上記第１実施形態と同様に、窓部材５３０に植物の根腐れを未然に防止し得る程度の水位に対する目盛りを設けておけば、散水の量が、その水位の窓部材５３０の上記目盛りに対する位置でもって、適正に決められ得る。その結果、上述の散水を行う者は、植物が根腐れを生じないように、容易に散水できて便利である。その他の作用効果は、上記第１実施形態と実質的に同様である。
【００５４】
なお、本発明の実施にあたり、上記各実施形態に限ることなく、次のような種々の変形例が挙げられる。
（１）プランター用カバー２００、または、植木鉢用カバー５００は、陶器として構成する例に限らず、例えば、煉瓦、プラスチック、木等の耐水性を有する材料で形成したものであればよい。
（２）プランター用カバー２００には、プランター１００だけでなく、例えば、植物を植え込んだ植木鉢を入れるようにしてもよい。
（３）カバー本体２１０は、長手状であって箱状であるものにかぎることなく、円筒状であって底壁を有するもの等の凹状のカバー本体であればよい。
（４）窓部材２３０、５３０は、周壁の底部にそれぞれ１つだけ設けることに限らず、当該周壁ａの底部にそれぞれ複数設けるようにしてもよい。
（５）窓部材２３０、５３０の形成材料は、透明のアクリル樹脂材料にかぎることなく、透明の強化プラスチック材料であってもよい。
（６）貫通孔部２１３ａ、５１１及びこれら貫通孔部２１３ａ、５１１に嵌着される窓部材２３０、５３０は、細幅長手状に形成されていることに限らず、例えば、正方形状や長楕円形状のごとく適宜な形状に形成されてもよい。
【図面の簡単な説明】
【００５５】
【図１】プランターを収容した本発明に係るプランター用カバーの第１実施形態を示す斜視図である。
【図２】図１のプランターの正面図である。
【図３】図１のプランターの左側面図である。
【図４】図１のプランター用カバーの正面図である。
【図５】図１のプランター用カバーの平面図である。
【図６】図１のプランター用カバーの左側面図である。
【図７】植木鉢を収容した本発明に係る植木鉢用カバーを第２実施形態として示す部分破断正面図である。
【符号の説明】
【００５６】
Ｓ、Ｓ１…用土、１００…プランター、２００、５００…カバー、
２１０、５１０…カバー本体、２１０ａ、５１０ａ…周壁、２１０ｂ、５１０ｂ…底壁、
２３０、５３０…窓部材、２４０、５４０…環状凹所、４００…植木鉢。
【図１】
2007289113.tif 000003
【図２】
2007289113.tif 000004
【図３】
2007289113.tif 000005
【図４】
2007289113.tif 000006
【図５】
2007289113.tif 000007
【図６】
2007289113.tif 000008
【図７】
2007289113.tif 000009